(57)【特許請求の範囲】
【請求項１】
伸縮可能な弾性材製のリング状基部と、金属材製の複数個のガイド片とからなり、ガイド片の肉厚は、結合時に生ずる挿口と受口との間の間隙寸法にほぼ合致し、各ガイド片は、リング状基部に片持ち状態で取付けられ、リング状基部の中心軸線に沿うように伸び出している管継手の屈曲防止金具。
【請求項２】
ガイド片の個数が３〜６個で、リング状基部の円周線上に等分に配されている請求項１記載の管継手の屈曲防止金具。
【発明の詳細な説明】
【０００１】
【発明の属する技術分野】
この発明は、離脱防止形の管継手に於いて、連結部に生ずる屈曲を防止する為の金具に関する。
【０００２】
【従来の技術】
上水道などに於いて、管と管、管とバルブなどとの連結に用いられる管継手は挿口と受口とからなる。また、地震時などに結合部が離脱するのを防止する形式のものでは、挿口の先端に抜け止め用のリング状突部が付いている。そして、受口は、この突部の通過の必要から、その開口端の内径が突部の分だけ大きくなっていて、この結果、結合完了時には、挿口の管外面と、受口の開口端内面との間に必然的に隙間が発生する。
【０００３】
【発明が解決しようとする課題】
このように離脱防止形の管継手では、結合状態で挿口と受口との間に隙間が存在するのであり、このことは連結部が屈曲許容構造になっていることを意味する。従って、連結後に何等かの外力が加わると、連結部で容易に屈曲してしまい、例えば、垂直に設置したバルブが使用中に不用意に傾いてしまうなどの問題があった。
【０００４】
本発明はこのような点に鑑み、構造が簡単で、取扱いが容易であり、確実に屈曲を防止できる管継手用の金具を提供するにある。また、本発明は挿口と受口との結合時に、芯出し作用を果たし、不良結合の防止を図れる屈曲防止金具を提供せんとするにある。
【０００５】
【課題を解決するための手段】
本発明の屈曲防止金具の技術的手段は、伸縮可能な弾性材製のリング状基部と、金属材製の複数個のガイド片とからなり、ガイド片の肉厚は、結合時に生ずる挿口と受口との間の間隙寸法にほぼ合致し、各ガイド片は、リング状基部に片持ち状態で取付けられ、リング状基部の中心軸線に沿うように伸び出していることにある。
【０００６】
また、ガイド片の個数を、３〜６個とし、リング状基部の円周線上に等分に配置させるのが好ましい。
【０００７】
【発明の実施の形態】
本発明の屈曲防止金具の実施の形態を、図面の実施例に基づいて説明する。屈曲防止金具１は、図１、図２に示されるように、ゴムなどの伸縮可能な弾性材製のリング基部２と、複数個（図示例では４個）の金属製のガイド片３とからなる。ガイド片３は、板状の舌片で、基端には膨大部４が設けられ、この膨大部４をリング基部２に埋め込むようにして、片持ち状態で取付けられている。また、膨大部４の埋め込みによって、リング基部２のその箇所は外方に突出し、当り鍔５となっている。
【０００８】
ガイド片３の個数は、通常３〜６個程度が適当で、リング状基部２の円周線上に等分に配し、かつ、各ガイド片３がリングの中心軸線方向に伸び出すように取付ける。また、ガイド片３の肉厚は均一とし、挿口１０の管外径と、受口２０の開口端２３の内径との半径寸法差（間隙の寸法）に合致させる。更に、ガイド片３の内外両面は、挿口や受口の径に沿うように湾曲させる。
【０００９】
次に、本発明の屈曲防止金具１の使用方法を、図２〜４によって説明する。先ず、図２の分離状態から、金具１を挿口１０に装着する。挿口１０の先端には、リング状の突部１１が形成されていて、この突部１１の外径は、金具のリング基部２の内径よりも大きいが、基部２はゴムなどの弾性材で作られ、伸縮が可能な為、強く押し込めば、突部１１を乗り越えて、金具１を挿口１０に嵌め込むことができる。また、装着後は、基部２の弾性力によって、挿口１０の外面を抱き込むようになる。ただし、単に弾性力で締付け固定されているだけだから、金具１は挿口１０上を自由に滑り移動可能である。図３はこの装着完了状態である。
【００１０】
次に、金具１が装着された挿口１０を、受口２０に挿し込んで結合させる。図３に於いて、２０は受口である。この図示例の受口２０では、その内面にゴム輪２１及び爪付きゴム輪２２が取付けられている。２３は受口の開口端である。開口端２３の内径は、挿込結合の必要から、挿口先端のリング状突部１１の外径よりやや大き目に設定されている。なお、前記の実施例は単に受口２０の１例を示したにすぎず、他の形式の受口とも結合は可能である。
【００１１】
図３の状態から、挿口１０を受口２０に挿し込む。開口端２３の内径は、径が少し大きいので、突部１１の通過は可能である。また、ゴム輪２１及び、爪付きゴム輪２２は、内径は小さいが、伸縮弾性を有するので、強く押し込めば、突部１１を通過させることができる。挿口１０の先端には、突部１１に続くように、金具のガイド片３が位置していて、ガイド片３の外径は、受口の開口端２３の内径とほぼ合致させてあるので、挿し込み時には芯出し効果が出て、正確に結合させることができる。また挿し込みの途中で、金具の当り鍔５が開口端２３と衝突するが、金具１は挿口１０に固定されていないので、挿し込みに伴って、金具１は挿口１０の外面を滑って、後方へと移動する。
【００１２】
図４は結合完了状態である。挿口１０の管外面と、受口２０の開口端２３の内面との間には、金具１のガイド片３は挟まっていて、隙間がないので、挿口と受口との間の屈曲は阻止される。また、挿口１０の抜け出しは、挿口１０の突部１１が、受口２０の爪付きゴム輪２２に衝突するので、阻止される。なお、金具１は、挿口１０の外面を軸線方向に自由に滑り移動できるので、どのような形の受口とも結合が可能である。
【００１３】
本発明の屈曲防止金具は、前記の実施例に限定されるものではなく、特許請求の範囲の記載の範囲内で自由に変形実施可能である。特に、リング状基部２の材質や形状、ガイド片３の個数や基部への固着方式などは自由である。
【００１４】
【発明の効果】
本発明の屈曲防止金具を用いれば、挿口外面と受口開口端内面との間の隙間を埋めて、結合部での屈曲許容性を無くすことができるので、結合後の屈曲を防止して、結合部を常に真直状態に保持できる。また、結合時にはガイド片が芯出し作用を果たすので、常に正確な位置に結合でき、不良結合を防止できる。更に、本発明の金具は、弾性リング状基部にガイド片が付いただけの簡単な構造であるから、廉価に製造提供でき、挿口への装着も容易で、また、金具は挿口上を自由に滑り移動できるので、受口の形状を選ばず、どのような形の受口に対しても利用可能である。
【００１５】
請求項２のものは、ガイド片の個数が、３〜６個で、リング状基部の円周線上に等分に配されているので、屈曲防止作用や芯出し作用が一層確実となり、かつ、実用的である。
【図面の簡単な説明】
【図１】本発明の屈曲防止金具の正面図。
【図２】Ａ−Ａ線断面図。
【図３】挿口と受口との分離状態の断面図。
【図４】挿口と受口との結合状態の断面図。
【符号の説明】
１          屈曲防止金具
２          リング状基部
３          ガイド片
４          膨大部
５          当り鍔
１０        挿口
１１        リング状突部
２０        受口
２３        開口端
【図１】
0003568811.tif 000002
【図２】
0003568811.tif 000003
【図３】
0003568811.tif 000004
【図４】
0003568811.tif 000005